(57)【要約】【課題】画像不良を抑制することができる画像形成装置を提供することである。【解決手段】実施形態の画像形成装置は、像担持体と、除電部材と、転写部材と、を持つ。像担持体は、光照射された領域が除電される感光体層を表面に有する。除電部材は、前記像担持体の除電位置において前記像担持体の表面に光照射する。除電部材は、前記像担持体の幅方向を第１幅で除電する。転写部材は、前記像担持体の幅方向に第２幅を有する。転写部材は、前記像担持体の転写位置において前記像担持体に付着した現像剤を被転写体に転写させる。転写部材は、前記第２幅が前記第１幅より大きい。【選択図】図６
2020030375.tif 000002
【特許請求の範囲】
【請求項１】
光照射された領域が除電される感光体層を表面に有する像担持体と、
前記像担持体の除電位置において前記像担持体の表面に光照射し、前記像担持体の幅方向を第１幅で除電する除電部材と、
前記像担持体の幅方向に第２幅を有し、前記像担持体の転写位置において前記像担持体に付着した現像剤を被転写体に転写させ、前記第２幅が前記第１幅より大きい転写部材と、を有する、
画像形成装置。
【請求項２】
前記第１幅は、前記除電部材の光照射による前記像担持体の表面の受光量が最大受光量の８０％以上となる幅である、
請求項１に記載の画像形成装置。
【請求項３】
前記像担持体のクリーニング位置において前記像担持体に残る前記現像剤を除去するクリーニング部材を有し、
前記除電位置は、前記転写位置と前記クリーニング位置との間に配置される、
請求項１または２に記載の画像形成装置。
【請求項４】
前記像担持体の幅方向に第３幅を有し、前記像担持体の現像位置において前記像担持体に前記現像剤を付着させて現像し、前記第３幅が前記第１幅より小さい現像部材を有する、
請求項１から３のいずれか１項に記載の画像形成装置。
【請求項５】
前記像担持体の前記転写位置と前記クリーニング位置との間の封止位置において前記クリーニング部材が除去した前記現像剤の飛散を抑制する封止部材を有し、
前記除電位置は、前記転写位置と前記封止位置との間に配置される、
請求項３に記載の画像形成装置。
【発明の詳細な説明】
【技術分野】
【０００１】
本発明の実施形態は、画像形成装置に関する。
【背景技術】
【０００２】
画像形成装置は、感光体ドラムに形成された静電潜像をトナーで現像する。トナー像が中間転写ベルトに転写された後、感光体ドラムは除電される。除電光が転写位置の上流側に回り込むと、画像不良が発生する可能性がある。
画像形成装置には、画像不良を抑制することが求められる。
【先行技術文献】
【特許文献】
【０００３】
【特許文献１】特開２０１７−５８４３３号公報
【発明の概要】
【発明が解決しようとする課題】
【０００４】
本発明が解決しようとする課題は、画像不良を抑制することができる画像形成装置を提供することである。
【課題を解決するための手段】
【０００５】
実施形態の画像形成装置は、像担持体と、除電部材と、転写部材と、を持つ。像担持体は、光照射された領域が除電される感光体層を表面に有する。除電部材は、前記像担持体の除電位置において前記像担持体の表面に光照射する。除電部材は、前記像担持体の幅方向を第１幅で除電する。転写部材は、前記像担持体の幅方向に第２幅を有する。転写部材は、前記像担持体の転写位置において前記像担持体に付着した現像剤を被転写体に転写させる。転写部材は、前記第２幅が前記第１幅より大きい。
【図面の簡単な説明】
【０００６】
【図１】実施形態の画像形成装置の概略構成図。
【図２】画像形成部の概略構成図。
【図３】除電位置の説明図。
【図４】除電位置の除電効果の説明図。
【図５】除電光の有効受光幅の説明図。
【図６】画像形成部の各部の幅寸法の比較図。
【発明を実施するための形態】
【０００７】
以下、実施形態の画像形成装置を、図面を参照して説明する。
本願において、Ｘ方向、Ｙ方向およびＺ方向が以下のように定義される。Ｙ方向は、感光体ドラムの幅方向（回転軸方向）である。Ｚ方向は、鉛直上下方向である。Ｘ方向は、水平方向であって、Ｙ方向およびＺ方向に垂直な方向である。
【０００８】
図１は、実施形態の画像形成装置の概略構成図である。画像形成装置１は、スキャナ部１２と、画像処理部１４と、給紙部１６と、レジストローラ１８と、プリント部２０と、定着部５２と、排紙部５８と、を有する。
【０００９】
スキャナ部１２は、スキャニング対象となっているシート上に形成されている画像を読み取る。例えば、スキャナ部１２は、シート上の画像を読み取り、レッド（Ｒ）、グリーン（Ｇ）、ブルー（Ｂ）の三原色の画像データを生成する。スキャナ部１２は、生成した画像データを画像処理部１４に出力する。
画像処理部１４は、画像データを各色の色信号に変換する。例えば、画像処理部１４は、画像データを、イエロー（Ｙ）、マゼンタ（Ｍ）、シアン（Ｃ）、ブラック（Ｋ）の４色の画像データ（色信号）に変換する。画像処理部１４は、各色の色信号に基づいて、露光部２６を制御する。
【００１０】
プリント部２０は、画像処理部１４から受信した画像データに基づいて、トナー（現像剤）により出力画像（以下、トナー像という）を形成する。プリント部２０は、トナー像をシートの表面上に転写する。プリント部２０の詳細は後述される。
【００１１】
給紙部１６は、プリント部２０がトナー像を形成するタイミングに合わせて、シートを１枚ずつレジストローラ１８に供給する。
レジストローラ１８は、ニップにおいてシートを撓ませることにより、搬送方向でのシートの先端の位置を整える。レジストローラ１８は、プリント部２０がトナー像をシートに転写するタイミングに応じてシートを搬送する。
定着部５２は、シートに熱と圧力とを加えて、シートに転写されたトナー像を定着させる。定着部５２は、シートを排紙部５８に排出する。
排紙部５８は、排出されたシートを載置する。例えば、排紙部５８は排紙トレイである。
【００１２】
プリント部２０は、画像形成部３０と、中間転写ベルト２２と、転写部２８と、を有する。
画像形成部３０は、感光体ドラム３１を有する。画像形成部３０は、画像データに応じたトナー像を感光体ドラム３１に形成する。中間転写ベルト２２に沿って、複数の画像形成部３０Ｙ，３０Ｍ，３０Ｃ，３０Ｋが配置される。複数の画像形成部３０Ｙ，３０Ｍ，３０Ｃ，３０Ｋは、それぞれイエロー、マゼンタ、シアン、ブラックのトナーによるトナー像を形成する。画像形成部３０は、感光体ドラム３１のトナー像を中間転写ベルト２２に１次転写する。画像形成部３０の詳細は後述される。
中間転写ベルト２２には、感光体ドラム３１の表面のトナー像が１次転写される。
転写部２８は、中間転写ベルト２２上に１次転写されたトナー像を２次転写位置においてシートの表面上に転写する。
【００１３】
画像形成部３０について説明する。
図２は、画像形成部の概略構成図である。画像形成部３０は、感光体ドラム（像担持体）３１と、帯電部材３２と、露光部２６と、現像機構３４と、転写部材３６と、除電部材３８と、クリーニング機構４０と、を有する。画像形成部３０の各部材は、感光体ドラム３１のＹ方向の中心を通るＸＺ平面に対して面対称に形成されている。
【００１４】
感光体ドラム３１は、静電潜像を担持する像担持体である。感光体ドラム３１は、円筒状に形成される。感光体ドラム３１は、回転軸３１ｃの周囲を回転可能である。感光体ドラム３１の外周の表面には感光体層３１ｆが形成される。感光体層３１ｆは、光半導体などで形成される。光半導体は、暗い所（光が無い所）では静電気を保持し、光が照射された部分だけ静電気を逃がす性質を有する。すなわち感光体層３１ｆでは、光照射された領域が除電される。
【００１５】
帯電部材３２は、感光体ドラム３１の表面を帯電させる帯電工程を実施する。帯電部材３２は、ワイヤーまたは針などの放電源を有する。放電源に高電圧をかけると、放電源がコロナ放電する。これにより、電荷が感光体ドラム３１の表面に移動する。例えば帯電部材３２は、感光体ドラム３１の表面をマイナス電荷に帯電させる。帯電部材３２は、ローラまたはブラシなどにより感光体ドラム３１の表面を帯電させてもよい。
【００１６】
露光部２６は、画像処理部１４から受信した画像データに基づいて、感光体ドラム３１の表面を走査露光する露光工程を実施する。露光部２６は、走査光学系を有する。走査光学系は、光源およびポリゴンミラー（偏向器）などを有する。例えば、光源はレーザ光源またはＬＥＤ光源である。ポリゴンミラーは回転しながら、光源から出射した光を反射する。これにより露光部２６は、感光体ドラム３１の表面を走査露光する。感光体ドラム３１の表面の露光された部分では、マイナス電荷が消失する。これにより、感光体ドラム３１の表面に、画像データに基づく静電潜像が形成される。
【００１７】
現像機構３４は、感光体ドラム３１にトナーを付着させて静電潜像を現像する現像工程を実施する。現像機構３４は、トナーおよびキャリアを収容する。現像機構３４は、トナーを感光体ドラム３１に移動させる現像部材３５を有する。現像部材３５の長手方向はＹ方向と平行である。現像部材３５は、Ｙ方向に幅（第３幅）Ｗ３５を有する（図６参照）。例えば現像部材３５は、円筒状のスリーブと、スリーブの内側に配置される磁石ローラと、を有する現像ローラである。トナーおよびキャリアがスリーブの外周面に付着した状態で、スリーブが磁石ローラの周囲を回転する。トナーは、マイナス電荷に帯電している。感光体ドラム３１の静電潜像の部分では、マイナス電荷が消失している。感光体ドラム３１の他の部分には、マイナス電荷が残っている。そのためトナーは、静電気力により感光体ドラム３１の静電潜像の部分のみに吸着される。感光体ドラム３１の静電潜像がトナーにより現像され、感光体ドラム３１の表面にトナー像が形成される。感光体ドラム３１において、現像部材３５との距離が最短となる位置が、感光体ドラム３１の周方向における現像位置（以下、単に現像位置と言う。）３５ｐである。現像部材３５は、現像位置３５ｐにおいて現像工程を実施する。
【００１８】
転写部材３６は、感光体ドラム３１のトナー像を中間転写ベルト２２に転写させる転写工程を実施する。転写部材３６の長手方向はＹ方向と平行である。転写部材３６は、Ｙ方向に幅（第２幅）Ｗ３６を有する（図６参照）。例えば、転写部材３６は転写ローラである。転写部材３６は、中間転写ベルト２２を挟んで感光体ドラム３１の反対側に配置される。転写部材３６は、中間転写ベルト２２を感光体ドラム３１に向かって押圧する。転写部材３６は、中間転写ベルト２２を感光体ドラム３１に密着させる。転写部材３６は、高電圧をかけて中間転写ベルト２２をプラス電荷に帯電させる。マイナス電荷に帯電しているトナーは、静電気力により中間転写ベルト２２に引きつけられる。これにより、感光体ドラム３１のトナー像が、中間転写ベルト２２に転写される。感光体ドラム３１に対する中間転写ベルト２２の密着位置が、感光体ドラム３１の周方向における転写位置（以下、単に転写位置と言う。）３６ｐである。転写部材３６は、転写位置３６ｐにおいて転写工程を実施する。
【００１９】
除電部材３８は、感光体ドラム３１の表面に残る電荷を除去する除電工程を実施する。除電部材３８の長手方向はＹ方向と平行である。除電部材３８は、Ｙ方向に幅Ｗ３８を有する（図６参照）。例えば除電部材３８は、ＬＥＤ光源をＹ方向に並べて形成される。除電部材３８は、感光体ドラム３１の表面の感光体層３１ｆに向かって光を照射する。除電部材３８は、感光体層３１ｆの電気抵抗を下げ、表面の電荷を中和除去する。感光体ドラム３１の表面に残る電荷は、除電部材から照射された光（以下、除電光と言う。）によって除去される。除電部材３８は、帯電工程の前に感光体層３１ｆの表面電位を一定に保つ。これにより帯電工程において、感光体ドラム３１の表面が均等に帯電する。感光体ドラム３１に対する除電光の入射位置が、感光体ドラム３１の周方向における除電位置（以下、単に除電位置と言う。）３８ｐである。除電部材３８は、除電位置３８ｐにおいて除電工程を実施する。
【００２０】
クリーニング機構４０は、感光体ドラム３１の表面に残るトナーを除去するクリーニング工程を実施する。クリーニング機構４０は、ブレード（クリーニング部材）４２と、カバー４４と、オーガ４６と、封止部材４５と、を有する。
ブレード４２は、感光体ドラム３１の表面に残るトナーを掻き取って除去する。ブレード４２は、ゴム材料などにより形成される。ブレード４２の先端部が、感光体ドラム３１の表面に当接する。感光体ドラム３１に対するブレード４２の当接位置が、感光体ドラム３１の周方向におけるクリーニング位置（以下、単にクリーニング位置と言う。）４２ｐである。ブレード４２は、感光体ドラム３１のクリーニング位置４２ｐにおいてクリーニング工程を実施する。
【００２１】
カバー４４は、掻き取られたトナーの飛散を防止する。
オーガ４６は、掻き取られたトナーを回収して廃トナー容器（不図示）まで搬送する。
封止部材４５は、カバー４４と感光体ドラム３１との間を封止する。封止部材４５は、掻き取られたトナーがカバー４４と感光体ドラム３１との間から流出するのを抑制する。封止部材４５は、フィルムまたはウレタンなどにより形成される。封止部材４５の先端部は、感光体ドラム３１の表面に接触する。感光体ドラム３１に対する封止部材４５の接触位置が、感光体ドラム３１の周方向における封止位置（以下、単に封止位置と言う。）４５ｐである。封止部材４５は、封止位置４５ｐにおいて、ブレード４２が除去したトナーの飛散を抑制する。
【００２２】
画像形成部３０は、前述した帯電工程、露光工程、現像工程、転写工程、除電工程およびクリーニング工程を、順に繰り返して実施する。これにより画像形成部３０は、感光体ドラム３１の表面にトナー像を形成する。画像形成部３０は、感光体ドラム３１のトナー像を中間転写ベルト２２に１次転写する。
【００２３】
除電位置と除電効果について説明する。
図３は、除電位置の説明図である。
例えば除電位置３８ｐとして、図３に示されるＡ〜Ｅが考えられる。除電位置ＡおよびＢは、クリーニング位置４２ｐに対して、感光体ドラム３１の回転方向の上流側（以下、単に上流側と言う。）である。除電位置ＡおよびＢは、転写位置３６ｐとクリーニング位置４２ｐとの間である。除電位置Ｃ〜Ｅは、クリーニング位置４２ｐに対して、感光体ドラム３１の回転方向の下流側（以下、単に下流側と言う。）である。
【００２４】
除電部材３８による除電効果は、除電後に感光体ドラム３１の表面に残る電荷によって評価される。感光体ドラム３１は、転写工程において、プラス電荷に帯電する中間転写ベルト２２に密着する。そのため、転写工程後の感光体ドラム３１の表面はこのプラス電荷による影響を受ける。その結果、その後の帯電工程において感光体ドラム３１の表面をマイナス電荷に帯電させることが困難になる。そのため、転写工程と帯電工程との間の除電工程では、プラス電荷を除去することが望まれる。すなわち、除電後の感光体ドラム３１の表面に残るプラス電荷が少ないことが望ましい。言い換えると、除電後の感光体ドラム３１の表面におけるプラス電位が小さいことが望ましい。除電後の感光体ドラム３１の表面の電位は、現像部材３５の上流側の位置Ｍｐで計測される。なお、帯電部材３２および露光部２６を取り外した状態で、除電後の電位が計測される。
【００２５】
図４は、除電効果の説明図である。
図４に示されるように、除電位置ＥおよびＤの場合は、プラス電位であり、プラス電荷が残っている。除電位置Ｃの場合は、電位がほぼゼロであり、プラス電荷が除去されている。除電位置ＢおよびＡの場合は、マイナス電位である。すなわち、プラス電荷が除去されるのに加えて、感光体ドラム３１の表面がマイナス電荷に帯電している。この結果から、除電位置３８ｐが上流側であるほど、除電効果が高いことが理解される。その理由は明らかでないが、除電後の時間が長いほど表面電荷が自然中和されるからであると考えられる。
【００２６】
図４の結果に基づいて、図２に示されるように、除電位置３８ｐは、転写位置３６ｐとクリーニング位置４２ｐとの間の第１領域Ａ１に配置される。これにより、感光体ドラム３１の表面に残る電荷が十分に除去される。また、帯電工程の前に感光体層３１ｆの表面電位が一定に保たれる。
【００２７】
除電部材３８は、クリーニング機構４０の外部に配置される。除電位置３８ｐが封止位置４５ｐとクリーニング位置４２ｐとの間に配置される場合は、除電部材３８から除電位置３８ｐに除電光を入射させることが難しい。そこで除電位置３８ｐは、転写位置３６ｐと封止位置４５ｐとの間の第２領域Ａ２に配置されることが望ましい。これにより、除電部材３８がクリーニング機構４０の外部に配置される場合でも、除電部材３８から除電位置３８ｐに除電光を入射させることができる。
【００２８】
除電光の回り込み作用について説明する。
除電部材３８から出射された除電光は広がりながら進行する。そのため、図２に示される現像位置３５ｐと転写位置３６ｐとの間の第３領域Ａ３に、除電光の一部が作用する場合がある。第３領域Ａ３において、感光体ドラム３１の表面には、トナー像が形成された像形成部分が存在する。第３領域Ａ３において、像形成部分以外の像非形成部分は、マイナス電荷に帯電している。除電光が像非形成部分に作用すると、マイナス電荷が除去される。これにより、像形成部分から像非形成部分にトナーが飛び移る。その結果、画像不良が発生する可能性がある。
【００２９】
前述したように、除電位置３８ｐは第１領域Ａ１に配置される。この場合の除電位置３８ｐは、第３領域Ａ３に接近する。そのため除電光は、第３領域Ａ３に作用しやすい。転写部材３６は、中間転写ベルト２２を感光体ドラム３１に密着させる。転写部材３６のＹ方向の内側では、中間転写ベルト２２と感光体ドラム３１との間に隙間がない。転写部材３６のＹ方向の外側では、中間転写ベルト２２と感光体ドラム３１との間に隙間が形成される。除電光はこの隙間に侵入し、転写部材３６のＹ方向の外側を回り込んで、第３領域Ａ３に作用する。その結果、画像不良は、画像形成領域のＹ方向の端部エリアで発生する。
【００３０】
図５は、除電光の有効受光幅の説明図である。図５の横軸は、感光体ドラム３１の周方向の除電位置３８ｐにおけるＹ方向の位置である。図５においてＣＬは、感光体ドラム３１のＹ方向（幅方向）の中心である。図５の縦軸は、除電位置３８ｐにおける除電光の最大受光量を１００％としたときの、Ｙ方向の各位置における受光量（％）である。
【００３１】
除電部材３８は、中心ＣＬを含むＸＺ平面に対して面対称に形成されている。除電部材３８のＹ方向の幅をＷ３８とする。除電位置３８ｐにおいて、除電部材３８の幅Ｗ３８に相当する領域では、除電光の受光量が最大受光量（１００％）となる。除電部材３８から出射された除電光は、広がりながら進行する。除電位置３８ｐにおいて、除電部材３８のＹ方向の外側の領域では、受光量が最大受光量より小さくなる。除電部材３８からＹ方向の外側に離れるにしたがって、受光量は減少する。実験の結果、受光量が最大受光量の８０％未満の領域では、画像に悪影響が出ないことが判明した。受光量が最大受光量の８０％未満では、除電効果が小さく、トナーが飛び移らないと考えられる。逆に言えば、受光量が最大受光量の８０％以上の領域では、十分な除電効果が得られる。除電位置３８ｐにおいて、除電光の受光量が最大受光量の８０％以上となる幅を、有効受光幅（第１幅）ＥＷ３８と呼ぶ。有効受光幅ＥＷ３８は、除電部材３８の幅Ｗ３８より大きい。除電部材３８は、除電位置３８ｐにおいて、感光体ドラム３１を有効受光幅ＥＷ３８で除電する。
【００３２】
図６は、画像形成部の各部の幅寸法の比較図である。図６においてＣＬは、感光体ドラム３１のＹ方向（幅方向）の中心である。
転写部材３６のＹ方向の幅（第２幅）Ｗ３６は、有効受光幅ＥＷ３８より大きい。これにより、有効受光幅ＥＷ３８の内側に照射される除電光（以下、内側除電光と言う。）は、転写部材３６により感光体ドラム３１に向かって押圧された中間転写ベルト２２に遮られる。内側除電光は、感光体ドラム３１の第３領域Ａ３に作用しない。そのため、内側除電光により第３領域Ａ３が除電されることはなく、トナーが飛び移ることもない。一方、有効受光幅ＥＷ３８の外側に照射される除電光（以下、外側除電光と言う。）は、転写部材３６のＹ方向の外側における中間転写ベルト２２と感光体ドラム３１との隙間に侵入する。外側除電光は、感光体ドラム３１の第３領域Ａ３に作用する可能性がある。この場合でも、除電効果の小さい外側除電光だけが、第３領域Ａ３に作用する。そのため、外側除電光により第３領域Ａ３が除電されることはなく、トナーが飛び移ることもない。以上により、画像不良の発生が抑制される。
【００３３】
図６に示されるように、現像部材３５のＹ方向の幅（第３幅）Ｗ３５は、転写部材３６の幅Ｗ３６および有効受光幅ＥＷ３８より小さい。これにより、感光体ドラム３１においてトナーの付着する範囲が限定される。したがって、画像不良の発生が抑制される。
【００３４】
以上に詳述したように、実施形態の画像形成装置１は、感光体ドラム３１と、除電部材３８と、転写部材３６と、を持つ。感光体ドラム３１は、光照射された領域が除電される感光体層３１ｆを表面に有する。除電部材３８は、感光体ドラム３１の除電位置３８ｐにおいて感光体ドラム３１の表面に光照射する。除電部材３８は、感光体ドラム３１のＹ方向を有効受光幅ＥＷ３８で除電する。転写部材３６は、Ｙ方向に幅Ｗ３６を有する。転写部材３６は、感光体ドラム３１の転写位置３６ｐにおいて感光体ドラム３１に付着したトナーを中間転写ベルト２２に転写させる。転写部材３６の幅Ｗ３６は、有効受光幅ＥＷ３８より大きい。
この構成によれば、有効受光幅ＥＷ３８の内側に照射される内側除電光は、転写部材３６により感光体ドラム３１に向かって押圧された中間転写ベルト２２に遮られる。内側除電光は、転写部材３６の上流側の第３領域Ａ３に作用しない。そのため、内側除電光により第３領域Ａ３が除電されることはなく、トナーが飛び移ることもない。一方、有効受光幅ＥＷ３８の外側に照射される外側除電光は、転写部材３６の外側における中間転写ベルト２２と感光体ドラム３１との隙間に侵入する。外側除電光は、感光体ドラム３１の第３領域Ａ３に作用する可能性がある。この場合でも、除電効果の小さい外側除電光だけが、第３領域Ａ３に作用する。そのため、外側除電光により第３領域Ａ３が除電されることはなく、トナーが飛び移ることもない。以上により、画像不良の発生が抑制される。
【００３５】
有効受光幅ＥＷ３８は、除電部材３８の光照射による感光体ドラム３１の表面の受光量が最大受光量の８０％以上となる幅である。
この構成によれば、有効受光幅ＥＷ３８の外側に照射される外側除電光の除電効果は小さい。そのため、外側除電光により感光体ドラム３１の第３領域Ａ３は除電されない。したがって、画像不良の発生が抑制される。
【００３６】
画像形成装置１は、感光体ドラム３１のクリーニング位置４２ｐにおいて感光体ドラム３１に残るトナーを除去するブレード４２を有する。除電位置３８ｐは、転写位置３６ｐとクリーニング位置４２ｐとの間に配置される。
この構成によれば、帯電工程の前に十分な除電効果が得られる。ただし、除電位置３８ｐが感光体ドラム３１の第３領域Ａ３に接近するので、除電光は第３領域Ａ３に作用しやすい。この場合でも、前述したように画像不良の発生が抑制される。
【００３７】
現像部材３５は、Ｙ方向に幅Ｗ３５を有する。現像部材３５は、感光体ドラム３１の現像位置３５ｐにおいて感光体ドラム３１にトナーを付着させて現像する。現像部材３５の幅Ｗ３５は、有効受光幅ＥＷ３８より小さい。
この構成によれば、感光体ドラム３１においてトナーの付着する範囲が限定される。したがって、画像不良の発生が抑制される。
【００３８】
封止部材４５は、感光体ドラム３１の転写位置３６ｐとクリーニング位置４２ｐとの間の封止位置４５ｐにおいて、ブレード４２が除去したトナーの飛散を抑制する。除電位置３８ｐは、転写位置３６ｐと封止位置４５ｐとの間に配置される。
この構成によれば、除電部材３８がクリーニング機構４０の外部に配置される場合でも、除電部材３８から除電位置３８ｐに除電光を入射させることができる。
【００３９】
以上説明した少なくともひとつの実施形態によれば、除電光の有効受光幅ＥＷ３８より大きい幅Ｗ３６を有する転写部材３６を持つ。これにより、画像不良の発生を抑制することができる。
【００４０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４１】
ＥＷ３８…有効受光幅（第１幅）、Ｗ３５…現像部材の幅（第３幅）、Ｗ３６…転写部材の幅（第２幅）、Ｙ…幅方向、１…画像形成装置、３１…感光体ドラム（像担持体）、３１ｆ…感光体層、３５…現像部材、３５ｐ…現像位置、３６…転写部材、３６ｐ…転写位置、３８…除電部材、３８ｐ…除電位置、４２…ブレード（クリーニング部材）、４２ｐ…クリーニング位置、４５…封止部材、４５ｐ…封止位置。
【図１】
2020030375.tif 000003
【図２】
2020030375.tif 000004
【図３】
2020030375.tif 000005
【図４】
2020030375.tif 000006
【図５】
2020030375.tif 000007
【図６】
2020030375.tif 000008